(57)【要約】      （修正有）【課題】ユーザビリティを向上させることができる遠隔操作可能なカメラを備えている顕微鏡を提供する。【解決手段】カメラ３０は、カメラの機能を制御するための遠隔操作信号を受信するカメラ遠隔操作信号受信器３１を有している。顕微鏡１０には、カメラの機能を制御するための外部の遠隔操作ユニットの遠隔操作信号を受信する、少なくとも１つの顕微鏡遠隔操作信号受信器１１，１２が配置されている。少なくとも１つの顕微鏡遠隔操作信号受信器は、導電体又は光電導体を介して、顕微鏡遠隔操作信号送信器１３と接続されており、導電体又は光電導体は、顕微鏡遠隔操作信号受信器のうちの１つによって受信された遠隔操作信号を顕微鏡内部で顕微鏡遠隔操作信号送信器に転送し、顕微鏡遠隔操作信号送信器は遠隔操作信号を送出して、カメラ遠隔操作信号受信器に供給する。【選択図】図２
0003206246.tif 000002
【実用新案登録請求の範囲】
【請求項１】
顕微画像を撮影するためのカメラ（３０）を備えている顕微鏡（１０）において、
−前記カメラ（３０）は、該カメラ（３０）の機能を制御するための遠隔操作信号を受信するカメラ遠隔操作信号受信器（３１）を有しており、
−前記顕微鏡（１０）には、前記カメラ（３０）の機能を制御するための外部の遠隔操作ユニット（３３）の遠隔操作信号を受信する、少なくとも１つの顕微鏡遠隔操作信号受信器（１１，１２）と、顕微鏡遠隔操作信号送信器（１３）と、が配置されており、
−前記少なくとも１つの顕微鏡遠隔操作信号受信器（１１，１２）は、導電体又は光電導体（４１）を介して、前記顕微鏡遠隔操作信号送信器（１３）と接続されており、前記導電体又は光電導体（４１）は、前記顕微鏡遠隔操作信号受信器（１１，１２）のうちの１つによって受信された遠隔操作信号を顕微鏡内部で前記顕微鏡遠隔操作信号送信器（１３）に転送し、該顕微鏡遠隔操作信号送信器（１３）は前記遠隔操作信号を送出して、前記カメラ遠隔操作信号受信器（３１）に供給することを特徴とする、顕微鏡（１０）。
【請求項２】
前記遠隔操作信号は、ＩＲ信号である、請求項１に記載の顕微鏡（１０）。
【請求項３】
前記顕微鏡（１０）は、ユーザ側（２１）と、該ユーザ側（２１）とは異なる側（２２）と、を有しており、前記顕微鏡（１０）の前記ユーザ側（２１）とは異なる側（２２）に前記カメラ（３０）が配置されており、
前記少なくとも１つの顕微鏡遠隔操作信号受信器（１１，１２）は、前記ユーザ側（２１）に配置されており、且つ、前記顕微鏡遠隔操作信号送信器（１３）は、前記カメラ（３０）が配置されている側（２２）に配置されている、請求項１又は２に記載の顕微鏡（１０）。
【請求項４】
前記顕微鏡（１０）の、前記ユーザ側（２１）とは異なる前記側（２２）は、前記顕微鏡（１０）の、前記ユーザ側（２１）とは反対側に位置する裏側（２２）である、請求項３に記載の顕微鏡（１０）。
【請求項５】
前記顕微鏡（１０）は、顕微鏡ステージ（１６）と、前記顕微鏡ステージ（１６）の上方に配置されている少なくとも１つの第１の顕微鏡遠隔操作信号受信器（１１）と、前記顕微鏡ステージ（１６）の下方に配置されている少なくとも１つの第２の顕微鏡遠隔操作信号受信器（１２）と、を有している、請求項１乃至４のいずれか１項に記載の顕微鏡（１０）。
【請求項６】
前記顕微鏡遠隔操作信号送信器（１３）は、前記顕微鏡内部に配置されている電子装置（４０）を介して、前記少なくとも１つの顕微鏡遠隔操作信号受信器（１１，１２）と接続されており、
前記電子装置（４０）は、前記顕微鏡遠隔操作信号受信器（１１，１２）のうちの１つから前記顕微鏡遠隔操作信号送信器（１３）への伝送時の前記遠隔操作信号を所定の信号レベルに調整する、請求項１乃至５のいずれか１項に記載の顕微鏡（１０）。
【請求項７】
前記カメラ遠隔操作信号受信器（３１）と、前記顕微鏡遠隔操作信号送信器（１３）との間にケーシングカバー（３２）が配置されており、該ケーシングカバー（３２）は、前記カメラ遠隔操作信号受信器（３１）に関して、前記顕微鏡遠隔操作信号送信器（１３）までの障害物のない視界を実現し、
前記カメラ遠隔操作信号受信器（３１）は更に、前記外部の遠隔操作ユニット（３３）から直接的に入射する遠隔操作信号に対して遮蔽されている、請求項１乃至６のいずれか１項に記載の顕微鏡（１０）。
【請求項８】
請求項１乃至７のいずれか１項に記載の顕微鏡（１０）と、該顕微鏡（１０）の前記カメラ（３０）の機能を制御するための遠隔操作信号を送出する遠隔操作ユニットと、を備えていることを特徴とする、顕微鏡システム。
【考案の詳細な説明】
【技術分野】
【０００１】
本考案は、顕微画像を撮影するカメラを有しており、そのカメラが、カメラの機能を制御するための遠隔操作信号を受信するカメラ遠隔操作信号受信器を有している、顕微鏡に関する。
【背景技術】
【０００２】
そのような顕微鏡自体は、従来技術から十分に知られている。通常の場合、顕微鏡は双眼鏡筒を有しており、この双眼鏡筒は顕微鏡対物レンズと共に、観察すべき対象物から、ユーザが観察することができる拡大された像を形成する。この際、ユーザまで到達する観察ビーム路の一部を分割し、カメラポートに案内することができる。カメラポートに接続されているカメラは、顕微鏡により検査される対象物の１つ又は複数の顕微画像を撮影する。多くの場合、カメラにはモニタが接続されており、このモニタ上に、１つ又は複数の画像をライブモードで、即ちリアルタイムで表示することができるが、しかしながらまた、記憶されている画像を呼び出して表示することもできる。その種のモニタを用いて作業する場合には、上述の双眼鏡筒を省略し、専らカメラのモニタだけを用いて作業することも考えられる。
【０００３】
代表的なものとしてここで考察する顕微鏡は、少なくとも１つの対物レンズと、特に適切な対物レンズを選択するための対物レンズレボルバと、入射光又は通過光照明装置と、観察すべき対象物を位置決めするための顕微鏡ステージと、使用される対物レンズの焦点に対象物を焦点合わせするための焦点調節ねじと、上述の（オプションとしての）双眼鏡筒と、を有している、正立顕微鏡又は倒立顕微鏡である。
【０００４】
更に、顕微鏡は上述の遠隔操作可能なカメラを有しており、ユーザは遠隔操作ユニットを用いることによって、カメラ機能を制御するための相応の遠隔操作信号をカメラに送信することができる。
【０００５】
カメラに対する、ユーザの相対的な位置に依存して、正確に言えば、ユーザによって操作される遠隔操作ユニットの相対的な位置に依存して、カメラの遠隔操作をより良好に実現できることもあれば、実現が難しくなることもあることが分かった。本考案の範囲での遠隔操作は、受信器の視認を必要とするので、例えば、顕微鏡の裏側にカメラを配置することによって、又はより一般的に、顕微鏡においてユーザに背を向けている側に、又は顕微鏡においてユーザに対向していない側にカメラを配置することによって、遠隔操作ユニットとカメラとの間に位置する障害物がカメラの遠隔操作を完全に不可能にする虞がある。このことを、多くのユーザは余り快適でないと考える。
【０００６】
従って、本考案の課題は、遠隔操作可能なカメラを備えている顕微鏡のユーザビリティを向上させることである。
【考案の概要】
【課題を解決するための手段】
【０００７】
本考案によれば、請求項１に記載されている顕微鏡は、遠隔操作可能なカメラを備えている顕微鏡のユーザビリティを向上させる。本考案による顕微鏡と、この顕微鏡のカメラの機能を制御するための遠隔制御信号を送出する遠隔操作ユニットと、を備えている顕微鏡システムも、同様に本考案の対象である。有利な実施の形態は、従属請求項並びに以下の説明より明らかになる。
【０００８】
本考案による顕微鏡は、顕微画像を撮影するカメラを有しており、このカメラは、カメラの機能を制御するための遠隔操作信号を受信するカメラ遠隔操作信号受信器を有している。顕微鏡には、少なくとも１つの顕微鏡遠隔操作信号受信器が配置されており、この顕微鏡遠隔操作信号受信器が、カメラの機能を制御するための外部の遠隔操作ユニットの遠隔操作信号を受信する。更に、顕微鏡には、顕微鏡遠隔操作信号送信器が配置されている。少なくとも１つの顕微鏡遠隔操作信号受信器は、顕微鏡の内部において、導電体又は光電導体を介して、顕微鏡遠隔操作信号送信器と接続されており、導電体又は光電導体は、顕微鏡遠隔操作信号受信器のうちの１つによって受信された遠隔操作信号を顕微鏡内部で顕微鏡遠隔操作信号送信器に転送し、この顕微鏡遠隔操作信号送信器はその遠隔操作信号を送出して、カメラ遠隔操作信号受信器に供給する。
【０００９】
その種の遠隔操作信号は相応の遠隔操作ユニットから送出される。カメラ機能を制御するためのこの遠隔操作ユニットは、通常の場合、カメラと一緒に入手することができる。本考案によれば、この顕微鏡には、少なくとも１つの顕微鏡遠隔操作信号受信器並びに顕微鏡遠隔操作信号送信器が配置されている。通常の場合、顕微鏡遠隔操作信号送信器は１つだけでも十分であるが、しかしながら２つ又はそれ以上の数のその種の送信器を顕微鏡に配置しても良い。顕微鏡遠隔操作信号受信器の数は、下記において説明するように、顕微鏡の構造及び顕微鏡に接続されているカメラの位置に実質的に従う。本考案によれば、少なくとも１つの顕微鏡遠隔操作信号受信器及び顕微鏡遠隔操作信号送信器は電子的に作用するように接続されており、これによって、微鏡遠隔操作信号受信器が受信した遠隔操作信号が顕微鏡遠隔操作信号送信器から送出され、特にカメラ遠隔操作信号受信器によって受信される。
【００１０】
従って本考案によれば、カメラに向けられた遠隔操作信号は先ず、１つ又は複数の顕微鏡遠隔操作信号受信器によって受信され、更に顕微鏡遠隔操作信号送信器に転送され、続いて、その顕微鏡遠隔操作信号送信器から遠隔操作信号がカメラ遠隔操作信号受信器に送信される。このようにして、遠隔操作信号は障害物を「迂回する」ことができるが、しかしながら、必要であれば、この遠隔操作信号を適切に処理することもできる。従ってこの措置は、遠隔操作信号の伝送を妨害する障害物に起因して、顕微鏡カメラの操作が不便になることを阻止する。
【００１１】
遠隔操作信号は、今日では通常、赤外線スペクトル範囲の電磁放射を用いる。遠隔操作信号がＩＲ（ＩＲ＝赤外線）信号である場合には、好適である。原理的には、レーザ信号、また他のスペクトル範囲に由来する信号、又は超音波信号を使用することもできる。
【００１２】
本考案は、ユーザからは直接的には見えない、正確に言えば、ユーザによって操作される遠隔操作ユニットからは直接的には見えない顕微鏡の箇所におけるカメラの配置を実現する。この箇所として、差し当たり、顕微鏡のユーザ側とは異なる任意の側が適している。例えば、カメラの遠隔操作の実現を制限することなく、カメラを顕微鏡の側壁に取り付けることができるか、又はより一般的に、顕微鏡において、少なくともユーザとは対向してない側に取り付けることができる。そのようなケースでは、少なくとも１つの顕微鏡遠隔操作信号受信器を、顕微鏡のユーザ側に配置し、且つ、顕微鏡遠隔操作信号送信器を、顕微鏡においてカメラが配置されている側に配置することが好適である。顕微鏡のユーザ側とは反対側に位置する裏側にカメラを取り付けることが有利であると分かった。
【００１３】
従って、ユーザ側における顕微鏡遠隔操作信号受信器の配置は、遠隔操作ユニットのユーザの遠隔操作信号がこの受信器に到達することを保証する。顕微鏡においてカメラが配置されている側と同じ側における顕微鏡遠隔操作信号送信器の配置は、遠隔操作信号が最終的にカメラに到達することを保証する。
【００１４】
特に、顕微鏡は、ユーザ側と、そのユーザ側とは反対側の裏側と、を有しており、この場合、カメラは顕微鏡の裏側に配置されており、また、少なくとも１つの顕微鏡遠隔操作信号受信器はユーザ側に配置されており、且つ、顕微鏡遠隔操作信号送信器は顕微鏡の裏側に配置されている。
【００１５】
遠隔操作信号の伝送に関して、既存の顕微鏡ステージも障害物となる可能性がある。そのようなケースでは、顕微鏡が、顕微鏡ステージと、顕微鏡ステージの上方に配置されている少なくとも１つの第１の顕微鏡遠隔操作信号受信器と、顕微鏡ステージの下方に配置されている少なくとも１つの第２の顕微鏡遠隔操作信号受信器と、を有していると有利である。
【００１６】
顕微鏡遠隔操作信号送信器は、有利には、少なくとも１つの顕微鏡遠隔操作信号受信器と、電子装置を介して接続されており、この電子装置によって、遠隔操作信号は妨害されることなく、規格通りに顕微鏡遠隔操作信号送信器に転送されるので、従って顕微鏡遠隔操作信号送信器も信号を劣化させることなく、規格通りに送出することができる。その際、電子装置は、顕微鏡遠隔操作信号受信器から顕微鏡遠隔操作信号送信器への伝送時の遠隔操作信号を所定の信号レベルに調整する。
【００１７】
従って遠隔操作信号は、顕微鏡を通過して、１つ又は複数の顕微鏡遠隔操作信号受信器から顕微鏡遠隔操作信号送信器に転送される。つまり、顕微鏡に接続されているカメラは常に非常に良好な信号強度の信号を受信する。カメラにおけるカメラ遠隔操作信号受信器は、特に、顕微鏡遠隔操作信号送信器までの障害物のない視界内に位置している。
【００１８】
本考案による顕微鏡のカメラを遠隔操作する際に、各受信器が遠隔操作信号の送信器までの、即ち遠隔操作ユニットまでの障害物のない視界内に位置している場合、又は、それらの間に場合によっては障害物が生じているにもかかわらず、受信器において十分な信号強度が存在する場合には、遠隔操作信号を、少なくとも１つの顕微鏡遠隔操作信号受信器によっても、カメラ遠隔操作信号受信器によっても受信することができる。このことから、カメラ遠隔操作信号受信器と、顕微鏡遠隔操作信号送信器との間にケーシングカバーが配置されており、そのケーシングカバーがカメラ遠隔操作信号受信器に関して、顕微鏡遠隔操作信号送信器までの障害物のない視界を実現し、またカメラ遠隔操作信号受信器が更に、外部の遠隔操作ユニットから直接的に入射する遠隔操作信号に対して遮蔽されている場合には非常に有利であることが分かった。
【００１９】
この遮蔽性のケーシングカバーは、遠隔操作信号に対しては透過性ではなく、それによって遠隔操作信号が前述の開口部のみを介して、カメラ遠隔操作信号受信器に到達することができるように構成されている。ケーシングカバーにおいて、開口部は、顕微鏡遠隔操作信号受信器（カメラ遠隔操作信号受信器）が顕微鏡遠隔操作信号送信器までの障害物のない視界内に位置するように形成及び配置されている。従って、その他の送信器からの遠隔操作信号を効果的に遮蔽することができるか、又は少なくとも大幅に抑制することができる。このようにして、本考案による顕微鏡の動作時に種々の送信器の遠隔操作信号が重畳されることに起因する誤動作又は未定義のカメラ状態は生じ得なくなる。更なる利点は、カメラ遠隔操作信号受信器の表面及び顕微鏡遠隔操作信号送信器の表面が粉塵及び他の異物から保護され、従って、長期間にわたり両者の間の良好な信号接続が保証されていることである。
【００２０】
上記において説明した特徴及び下記において説明する特徴は、それぞれ記載の組み合わせに限定されるものではなく、本考案の枠内から逸脱することなく、他の組み合わせでも、又は単独でも使用できると解される。
【００２１】
本考案は、実施例に基づき図面に概略的に示されており、また本考案を下記において図面を参照しながら説明する。
【図面の簡単な説明】
【００２２】
【図１】遠隔操作可能なカメラを備えている本考案による顕微鏡の１つの実施の形態を正面斜視図で概略的に示す。
【図２】図１に示した顕微鏡を側面図で示す。
【図３】図２に示した顕微鏡の修正された実施の形態を示す。
【図４】図３に示したものにおいて、顕微鏡の内部に設けられている電子装置を示すために一部が破断されている顕微鏡を示す。
【考案を実施するための形態】
【００２３】
以下では、図１から図４を包括的に説明する。同一の参照符号は、同一の構成要素を表している。
【００２４】
図１には、倒立顕微鏡である顕微鏡１０の１つの実施の形態が概略的に示されている。透過光照明装置には参照番号１４が付されている。透過光照明装置１４の照明ビーム路は、顕微鏡１０の顕微鏡ステージ１６に向けられている。顕微鏡ステージ１６における透過光用開口部１６ａには、検査すべき対象物（図示せず）が配置されている。顕微鏡ステージ１６の下方には、適切な対物レンズ（対物レンズ自体は図示していない）を選択するための、対物レンズレボルバ１７が設けられている。検査すべき対象物は、選択された対物レンズの焦点に位置している。このために、顕微鏡１０は、対物レンズの方向において顕微鏡ステージ１６の位置調整を行うための焦点調節ねじ１８を有している。顕微鏡１０の双眼鏡筒には参照番号１９が付されている。この双眼鏡筒１９によって、ユーザは検査すべき対象物の拡大された像を直接的に視覚により認識することができる。更に、この双眼鏡筒によって、ユーザは対象物を対物レンズに関して適切に位置決めすることができ、また関心のある対象物領域を選択することができる。
【００２５】
図２には、図１に示したものと同じ顕微鏡が側面図で概略的に示されている。支柱１５には、透過光照明装置１４が支持されている。顕微鏡１０のカメラ３０は顕微鏡１０の裏側に、正確に言えば、顕微鏡１０のメインケーシング２０の裏側に取り付けられている。顕微鏡１０のこの裏側には参照番号２２が付されている。顕微鏡の表側又はユーザ側には参照番号２１が付されている。図示のケースでは、ユーザ側は双眼鏡筒１９の側である。その種の双眼鏡筒１９が設けられていない場合には、顕微鏡において、顕微鏡の制御及びカメラの制御を実現する機器をユーザに提供する側が、ユーザ側となる。つまり、カメラ３０が設けられていることに基づき、上記において説明したように、原理的には双眼鏡筒１９を省略することができる。カメラ３０は、図示していないモニタに接続されており、このモニタは顕微画像を表示し、更に好適には別の関連する情報を表示する。カメラ３０を相応に制御することによって、モニタにライブ画像を表示することができるが、しかしながら記憶されている画像を表示することもできる。
【００２６】
図１及び図２に示した構造において、ユーザは遠隔操作によってカメラを制御することができる。このために、ユーザは例えばカメラに合わせて調整された遠隔操作ユニット３３を操作することができる。遠隔操作可能なカメラは、遠隔操作信号受信器を有している。遠隔操作信号受信器は、通常の場合、カメラに組み込まれている。この受信器を、以下ではカメラ遠隔操作信号受信器３１と称する。このカメラ遠隔操作信号受信器３１は、図面において概略的に示されているが、しかしながら通常はカメラケーシング内に統合されているので直接見ることはできない。遠隔操作は、特に遠隔操作信号としてのＩＲ信号により機能する遠隔操作は、受信器まで障害物のない視界を必要とする。図示されている顕微鏡の構造では、カメラ遠隔操作信号受信器３１が顕微鏡１０の裏側２２に設けられているので、ユーザ側２１から到来する遠隔操作信号は、台座又はメインケーシング２０によってその伝播を阻止されることが多い。これによって信号強度が大幅に低下し、信号が完全に消失することも頻繁に起こり得る。そのようなケースでは、ユーザは先ずカメラ３０の正確な位置を突き止め、続いて、自身の遠隔操作ユニット３３を用いて、そのカメラ３０に設けられているＩＲ受信器の位置を可能な限り正確に測定することを試みなければならない。このことを、多くのユーザは不便と感じる。従って、図１及び図２に示した顕微鏡は、この顕微鏡１０自体に設けられている２つの顕微鏡遠隔操作信号受信器１１及び１２を有している。単一の受信器でも十分であるが、しかしながら３つ以上のその種の受信器が設けられていても有意義であると考えられることを言及しておく。顕微鏡遠隔操作信号受信器１１及び１２は、それらがユーザによって操作される遠隔操作ユニット３３までの視界に入るように顕微鏡１０に配置されている。図示のケースでは、顕微鏡遠隔操作信号受信器のうちの一方の受信器１１は顕微鏡ステージ１６の上方の領域に配置されており、他方の受信器１２は顕微鏡ステージの１６の下方に配置されている。顕微鏡ステージ１６が遠隔操作信号にとっての障害物として機能する可能性があるので、この配置構成は非常に好適である。つまり、相応の遠隔操作ユニット３３が、台座の脚部又はメインケーシング２０の近傍において操作される場合には、高い確率で、相応の遠隔操作信号は下方の顕微鏡遠隔操作信号受信器１２によって受信される。これに対して、遠隔操作ユニット３３が、双眼鏡筒１９の高さで操作される場合には、高い確率で、遠隔操作信号は上側の顕微鏡遠隔操作信号受信器１１によって受信する。
【００２７】
１つ又は複数の顕微鏡遠隔操作信号受信器１１，１２によって受信される遠隔操作信号は、電子装置（図４の実施の形態を参照されたい）を介して、顕微鏡遠隔操作信号送信器１３へと転送され、顕微鏡遠隔操作信号送信器１３自体はこの信号を送出する。この顕微鏡遠隔操作信号送信器１３は、カメラ３０への視界内に、正確に言えば、カメラ内に設けられているカメラ遠隔操作信号受信器３１への視界内に設けられている。このために、顕微鏡遠隔操作信号送信器１３は、顕微鏡１０の裏側２２においてカメラ３０の近傍に設けられている。このようにして、顕微鏡遠隔操作信号送信器１３は、元は遠隔操作ユニット３３から送出された信号に対応する遠隔操作信号を、カメラ遠隔操作信号受信器３１に伝送する。このようにして、カメラの機能が制御される。従って、ここで説明する構造は、障害物の存在又は顕微鏡１０の幾何学形状に依存せずに、カメラ３０の確実な制御を実現する。つまり、カメラ３０の非常に快適でユーザフレンドリな操作が実現される。
【００２８】
図３には、図２に示した顕微鏡１０を若干修正した構造が示されており、この構造においては、カメラ３０と顕微鏡遠隔操作信号送信器１３との間の領域だけが僅かに変更されている。図３からは、ケーシングカバー又は遮蔽部３２が見て取れる。このケーシングカバー３２は、カメラ遠隔操作信号受信器３１が顕微鏡遠隔操作信号送信器１３までの障害物のない視界内に位置するように形成及び配置されている開口部を除いて、カメラ遠隔操作信号受信器３１を包囲している。図示のケースでは、ケーシングカバー３２は管状の遮蔽部である。管状の遮蔽部３２の一方の側には、顕微鏡遠隔操作信号送信器１３（相応に図３においてはもはや見て取ることはできない）が設けられており、管状の遮蔽部３２の他方の側には、カメラ３０に組み込まれているカメラ遠隔操作信号受信器３１が設けられている。ケーシングカバー又は遮蔽部３２は、カメラ内に設けられているカメラ遠隔操作信号受信器３１が顕微鏡遠隔操作信号送信器１３からの信号だけを受信することを保証する。その他の信号は効果的に遮蔽される。特に、遠隔操作ユニット３３自体が送出し、場合によってはカメラ３０に到達することも考えられる信号が遮蔽される。相応の複数の遠隔操作信号が場合によっては時間的に僅かにずれて重畳されることによって、状況によっては、カメラ電子装置によってもはや有意義に処理又は解釈されない可能性がある信号が生じることも考えられる。起こり得る結果として、カメラの誤動作又は制御の欠陥が挙げられる。図示されているケーシングカバー又は遮蔽部３２は、これを効果的に阻止する。
【００２９】
最後に図４には、図３に示したものにおいて、顕微鏡遠隔操作信号送信器１３の周囲でメインケーシング２０の一部が破断されている顕微鏡１０が示されている。概略的に示されている構成素子を備えている電子装置４０が示されており、この電子装置４０は、顕微鏡遠隔操作信号送信器１３が本来の遠隔操作信号を劣化させることなく、良好な信号強度で送出することができるように、１つ又は複数の顕微鏡遠隔操作信号受信器１１及び１２の信号を、導電体を介して、若しくは、ガラスファイバ及び／又はフォトカプラを含むことができる光電導体４１を介して、顕微鏡遠隔操作信号送信器１３に転送することができる。これに適した回路は当業者には公知である。場合によっては生じる遠隔操作信号の減衰を、電子装置４０による相応の信号増幅によって補償することができる。
【００３０】
単に完全を期すために、ここで説明した構造は、遠隔操作可能なカメラを備えている正立顕微鏡にも適していることを言及しておく。最後に、ここで言及した措置は、カメラが顕微鏡ケーシング２０の側壁に設けられている場合にも有意義であることを言及しておく。原理的には、ここで提案した措置は、遠隔操作可能なカメラが顕微鏡１０のユーザ側２１に向けられた障害物のない視界内に位置していない場合であれば常に有意義である。
【符号の説明】
【００３１】
１０  顕微鏡
１１  顕微鏡遠隔操作信号受信器
１２  顕微鏡遠隔操作信号受信器
１３  顕微鏡遠隔操作信号送信器
１４  透過光照明装置
１５  支柱
１６  顕微鏡ステージ
１６ａ  透過光用開口部
１７  対物レンズレボルバ
１８  焦点調節ねじ
１９  双眼鏡筒
２０  メインケーシング
２１  ユーザ側
２２  裏側
３０  カメラ
３１  カメラ遠隔操作信号受信器
３２  ケーシングカバー
３３  外部の遠隔操作ユニット
４０  電子装置
４１  導電体又は光電導体
【図１】
0003206246.tif 000003
【図２】
0003206246.tif 000004
【図３】
0003206246.tif 000005
【図４】
0003206246.tif 000006